(57)【要約】  本発明は、撮影時にフレーミングした範囲の画像よりも外側の画像を撮影後に閲覧することが可能な撮像装置、その制御方法、撮像システム、及びプログラムを提供することを目的とする。本発明にかかる撮像装置１０は、デジタルズーム機能を備える撮像装置１０であって、所定の範囲（撮像素子全体の画像範囲Ａ）の画像データを取得させる画像取得処理部２１と、所定の範囲より小さいライブビュー範囲Ｂの情報を保持する画像処理制御部２３と、取得した画像データのうち、ライブビュー範囲Ｂに該当する部分をデジタルズームして表示させる画像表示処理部２４と、画像処理制御部２３に入力される撮影指令に応じて、画像取得処理部２１が取得した前記画像データに、画像処理制御部２３が保持するライブビュー範囲Ｂの情報を付与して保存させるデータ保存処理部２２と、を備えるものである。
2011039947.tif 000002
【特許請求の範囲】
【請求項１】
デジタルズーム機能を備える撮像装置であって、
所定の範囲の画像データを取得させる画像取得手段と、
前記所定の範囲より小さいライブビュー範囲の情報を保持する画像処理制御手段と、
取得した前記画像データのうち、前記ライブビュー範囲に該当する部分をデジタルズームして表示させる画像表示手段と、
前記画像処理制御手段に入力される撮影指令に応じて、前記画像取得手段が取得した前記画像データに、前記画像処理制御手段が保持する前記ライブビュー範囲の情報を付与して保存させるデータ保存手段と、を備える撮像装置。
【請求項２】
前記所定の範囲は、撮像素子で受光した撮像素子全体の画像範囲である請求項１に記載の撮像装置。
【請求項３】
前記画像処理制御手段が保持する前記ライブビュー範囲の情報は、変更可能であることを特徴とする請求項１又は２に記載の撮像装置。
【請求項４】
前記データ保存手段は、保存させた前記画像データを、付与した前記ライブビュー範囲の情報とともに読み出し、
前記画像表示手段は、読み出した前記画像データのうち、読み出した前記ライブビュー範囲に該当する部分をデジタルズームして表示させる請求項１乃至３のいずれか１項に記載の撮像装置。
【請求項５】
前記画像データに付与された前記ライブビュー範囲の情報は、修正可能であることを特徴とする請求項４に記載の撮像装置。
【請求項６】
前記ライブビュー範囲は、拡大方向及び外側方向に修正可能である請求項５に記載の撮像装置。
【請求項７】
請求項１乃至３のいずれか１項に記載の撮像装置と、
前記撮像装置を用いて保存された前記画像データのうち、前記画像データに付与された前記ライブビュー範囲の情報に該当する部分をデジタルズームして表示する別の電子機器と、を備える撮像システム。
【請求項８】
前記画像データに付与された前記ライブビュー範囲の情報は、前記別の電子機器にて修正可能である請求項７に記載の撮像システム。
【請求項９】
請求項１乃至６のいずれか１項に記載の撮像装置と、
前記撮像装置を用いて保存された前記画像データのうち、前記画像データに付与された前記ライブビュー範囲の情報に該当する部分をデジタルズームして印刷する印刷機器と、を備える撮像システム。
【請求項１０】
デジタルズーム機能を備える撮像装置の制御方法であって、
撮像素子で受光した撮像素子全体の画像範囲のうち、前記撮像素子全体の画像範囲より小さいライブビュー範囲の部分をデジタルズームして表示し、
前記撮像素子全体の画像範囲に該当する画像データを撮影画像として取得し、
取得した前記撮影画像に前記ライブビュー範囲の情報を付与して保存する、撮像装置の制御方法。
【請求項１１】
前記撮影画像を取得する前に、前記ライブビュー範囲が変更可能であることを特徴とする請求項１０に記載の撮像装置の制御方法。
【請求項１２】
保存した前記撮影画像を、付与された前記ライブビュー範囲の情報とともに読み出し、
読み出した前記撮影画像のうち、読み出した前記ライブビュー範囲に該当する部分をデジタルズームして表示する請求項１０又は１１に記載の撮像装置の制御方法。
【請求項１３】
前記画像データに付与された前記ライブビュー範囲の情報は、修正可能であることを特徴とする請求項１２に記載の撮像装置の制御方法。
【請求項１４】
撮像素子で受光された撮像素子全体の画像範囲のうち、前記撮像素子全体の画像範囲より小さいライブビュー範囲の部分をデジタルズームして表示させる処理と、
前記撮像素子全体の画像範囲に該当する画像データを撮影画像として取得させる処理と、
取得された前記撮影画像に前記ライブビュー範囲の情報を付与して保存させる処理と、をコンピュータに実行させるためのプログラムが格納された非一時的なコンピュータ可読媒体。
【発明の詳細な説明】
【技術分野】
【０００１】
本発明は、撮像装置、その制御方法、撮像システム、及びプログラムが格納された非一時的なコンピュータ可読媒体に関し、特に詳しくはデジタルズーム機能を備える撮像装置、その制御方法、撮像システム、及びプログラムが格納された非一時的なコンピュータ可読媒体に関する。
【背景技術】
【０００２】
デジタルカメラには、画像の一部を拡大して表示するズームイン機能を備えたものが広く普及している（例えば、特許文献１）。デジタルカメラは、近年、携帯電話など多種多様な機器に搭載されているため、写真撮影に慣れていないユーザも、気軽に写真撮影が出来るようになってきている。【０００３】
しかし、デジタルカメラを使い慣れていない初心者は、フレーミングに関する失敗写真が多い。また、デジタルカメラを使い慣れている習熟者であっても、とっさのタイミングで撮影する場合はフレーミングがずれる場合がある。
【先行技術文献】
【特許文献】
【０００４】
【特許文献１】特開２００８−０７９１４９号公報
【発明の概要】
【発明が解決しようとする課題】
【０００５】
ところが、従来のデジタルカメラでは、撮影した画像を閲覧する際に、画像の一部を拡大して表示するズームイン操作を行うことが出来るが、撮影時にフレーミングした画角よりさらに広角方向へのズームアウト操作は、フレームより外側の画像データがそもそも存在しないため不可能である。【０００６】
そのため、例えば、旅行中に撮った写真を旅行から帰った後に閲覧する際に、撮影した画像のフレームより外側の景色を見たいと思っても、ズームアウトもしくはフレームを上下左右に移動してフレームの外側を確認することは不可能である。【０００７】
本発明は、上記のような問題点を解決するためになされたものであり、撮影時にフレーミングした範囲の画像よりも外側の画像を撮影後に閲覧することが可能な撮像装置、その制御方法、撮像システム、及びプログラムが格納された非一時的なコンピュータ可読媒体を提供することを目的とする。
【課題を解決するための手段】
【０００８】
本発明の第１の態様にかかる撮像装置は、デジタルズーム機能を備える撮像装置であって、所定の範囲の画像データを取得させる画像取得部と、前記所定の範囲より小さいライブビュー範囲の情報を保持する画像処理制御部と、取得した前記画像データのうち、前記ライブビュー範囲に該当する部分をデジタルズームして表示させる画像表示部と、前記画像処理制御部に入力される撮影指令に応じて、前記画像取得部が取得した前記画像データに、前記画像処理制御部が保持する前記ライブビュー範囲の情報を付与して保存させるデータ保存部と、を備えるものである。【０００９】
また、本発明の第２の態様にかかる撮像装置の制御方法は、デジタルズーム機能を備える撮像装置の制御方法であって、撮像素子で受光した撮像素子全体の画像範囲のうち、前記撮像素子全体の画像範囲より小さいライブビュー範囲の部分をデジタルズームして表示し、前記撮像素子全体の画像範囲に該当する画像データを撮影画像として取得し、取得した前記撮影画像に前記ライブビュー範囲の情報を付与して保存するものである。【００１０】
また、本発明の第３の態様にかかるプログラムが格納された非一時的なコンピュータ可読媒体は、撮像素子で受光された撮像素子全体の画像範囲のうち、前記撮像素子全体の画像範囲より小さいライブビュー範囲の部分をデジタルズームして表示させる処理と、前記撮像素子全体の画像範囲に該当する画像データを撮影画像として取得させる処理と、取得された前記撮影画像に前記ライブビュー範囲の情報を付与して保存させる処理と、をコンピュータに実行させるためのプログラムが格納されたものである。
【発明の効果】
【００１１】
本発明によれば、撮影時にフレーミングした範囲の画像よりも外側の画像を撮影後に閲覧することが可能な撮像装置、その制御方法、撮像システム、及びプログラムが格納された非一時的なコンピュータ可読媒体を提供することができる。
【図面の簡単な説明】
【００１２】
【図１】実施の形態１に係る撮像装置が搭載された撮像装置搭載機器の一例である携帯電話機の外観を示す図である。
【図２】実施の形態１に係る撮像装置の全体の構成を示すブロック図である。
【図３】実施の形態１に係る画像処理制御部がライブビュー表示動作のために保持するライブビュー範囲を説明するための図である。
【図４】実施の形態１に係る撮像装置の撮影時の動作を示すフローチャートである。
【図５】実施の形態１に係る撮像装置の撮影画像閲覧時の動作を示すフローチャートである。
【発明を実施するための形態】
【００１３】
実施の形態１．
始めに、図１を用いて、本実施の形態に係る撮像装置搭載機器について説明する。図１は、実施の形態１に係る撮像装置が搭載された撮像装置搭載機器の一例である携帯電話機の外観を示す図である。
【００１４】
本実施の形態に係る携帯電話機１は、図１に示すように、例えば、折り畳み式の一般的な携帯電話機１である。携帯電話機１の上側の筐体には液晶ディスプレイなどの表示部１５が装備され、下側の筐体にはテンキーや機能キーなどの各種操作ボタンを複数有するキー操作部１３が装備されている。また、この携帯電話機１は、デジタルカメラである撮像装置を備えており、上側の筐体の背面側にレンズ等を有するカメラ部１１が装備され、下側の筐体の内部に撮像機能を実現するための制御装置等が装備されている。
【００１５】
続いて、撮像装置の部分の構成について、図２を用いて説明する。図２は、実施の形態１に係る撮像装置の全体の構成を示すブロック図である。本実施の形態に係る撮像装置１０は、図２に示すように、カメラ部１１と、カメラ制御部１２と、キー操作部１３と、キー入力制御部１４と、表示部１５と、表示制御部１６と、記憶部１７と、演算部２０とを備えている。
【００１６】
カメラ部１１は、撮影範囲の画像を電子データである画像データとして取り込むデバイスである。例えば、カメラ部１１は、広角レンズを搭載した短焦点カメラであることが好ましい。カメラ部１１は、レンズで受光した光を撮像素子に像として投影し、画像データとして画像を取得する。カメラ制御部１２は、カメラ部１１の動作を制御して、カメラ部１１からの画像データの取得を制御する。
【００１７】
キー操作部１３は、ユーザからのキー入力を受け付けるキーボードである。キー操作部１３は、携帯電話機１の操作部であり、複数の操作ボタンを有している。キー操作部１３は、ボタンの押下を電気信号に変換する。キー入力制御部１４は、キー操作部１３から受け取った信号を取得する。すなわち、キー入力制御部１４は、キー操作部１３に対する入力を検出する。そして、キー入力制御部１４は、検出した信号を演算部２０が使用可能な情報とする。
【００１８】
表示部１５は、例えば、液晶ディスプレイや有機ＥＬ（electroluminescence）ディスプレイなどの表示デバイスである。表示部１５は、電気信号で受け取った画像データ等を表示する。表示制御部１６は、表示部１５の制御を行う。例えば、表示制御部１６は、カメラ部１１にて取得したプレビュー画像や実際に撮像した画像を、表示部１５に表示するよう制御する。
【００１９】
記憶部１７は、撮影された画像などのデータを保存する。
【００２０】
演算部２０は、カメラ制御部１２、キー入力制御部１４、表示制御部１６、及び記憶部１７と接続され、撮像装置１０の動作を制御する演算回路などの制御装置である。この演算部２０には、所定のプログラムが組み込まれることで、画像取得処理部２１と、データ保存処理部２２と、画像処理制御部２３と、画像表示処理部２４とが構築されている。
【００２１】
画像取得処理部（画像取得手段）２１は、カメラ制御部１２の動作を制御して、カメラ部１１から所定の範囲の画像データを取得する。データ保存処理部（データ保存処理手段）２２は、記憶部１７へのデータの書込み及びデータの読込みを行う。画像表示処理部（画像表示手段）２４は、表示制御部１６の動作を制御して、表示部１５へ画像及びユーザインタフェースを表示する。
【００２２】
画像処理制御部（画像処理制御手段）２３は、キー入力制御部１４から受け取ったユーザの操作に従って、この撮像装置１０全体の制御動作を司り、カメラ操作にかかわる画像の取得、画像の表示、画像データの保存の制御を行う。
【００２３】
また、画像処理制御部２３は、カメラ部１１の撮像素子全体の画像範囲Ａに対するライブビュー範囲Ｂの情報を保持している。ここで、ライブビュー範囲Ｂについて、図３を用いて説明する。図３は、実施の形態１に係る画像処理制御部２３が後述するライブビュー表示動作のために保持するライブビュー範囲を説明するための図である。
【００２４】
図３に示すように、ライブビュー範囲Ｂは、カメラ部１１の撮像素子で受光した撮像素子全体の画像範囲Ａよりも小さい範囲である。撮像素子全体の画像範囲Ａ、及びライブビュー範囲Ｂは、例えばともに矩形形状とすることができる。ライブビュー範囲Ｂの情報は、例えば、撮像素子全体の画像範囲Ａにおける座標情報として保持される。このライブビュー範囲Ｂの大きさは、キー入力制御部１４から受け取ったユーザの操作に従い、所定の範囲で変更可能である。
【００２５】
ここで、画像処理制御部２３は、画像を即時表示部１５に表示するライブビュー表示時には、画像取得処理部２１を制御して、カメラ部１１の撮像素子全体の画像範囲Ａに該当する画像データを取り込み、取り込んだ撮像素子全体の画像範囲Ａのうち、保持しているライブビュー範囲Ｂに該当する部分を切り出す。そして、画像処理制御部２３は、切り出したライブビュー範囲Ｂに該当する画像を、表示部１５の画面に内接して表示可能なサイズに拡大縮小し、画像表示処理部２４を制御して表示部１５に表示することによって、画像表示を行う。
【００２６】
画像処理制御部２３は、撮影時には、画像取得処理部２１を制御して、カメラ部１１の撮像素子全体の画像範囲Ａに該当する画像データを取得させる。また、画像処理制御部２３は、保存時には、データ保存処理部２２を制御して、取得した撮像素子全体の画像範囲Ａの画像データに、ライブビュー範囲Ｂの座標情報を付与して、画像データの保存を行う。
【００２７】
さらに、画像処理制御部２３は、保存した画像データの閲覧時には、データ保存処理部２２を制御して記憶部１７から選択した画像データを取得させる。そして、画像処理制御部２３は、取得した画像データから、ライブビュー範囲Ｂに該当する部分を切り出して、表示部１５の画面に内接して表示可能なサイズに拡大縮小し、画像表示処理部２４を制御して表示部１５に表示させる。
【００２８】
このように、本実施の形態にかかる撮像装置１０は、デジタルズーム機能を備える撮像装置１０であって、所定の範囲（撮像素子全体の画像範囲Ａ）の画像データを取得させる画像取得手段（画像取得処理部２１）と、ライブビュー範囲Ｂの情報を保持する画像処理制御手段（画像処理制御部２３）と、取得した画像データのうち、ライブビュー範囲Ｂに該当する部分をデジタルズームして表示させる画像表示手段（画像表示処理部２４）と、画像処理制御手段に入力される撮影指令に応じて、画像取得手段が取得した画像データに、画像処理制御手段が保持するライブビュー範囲Ｂの情報を付与して保存させるデータ保存手段（データ保存処理部２２）と、を備える。
【００２９】
次に、上記のように構成された撮像装置１０の動作について説明する。
【００３０】
最初に、撮像装置１０の撮影時における動作について、図４を用いて説明を行う。図４は、実施の形態１に係る撮像装置の撮影時の動作を示すフローチャートである。図４に示すフローチャートは、撮影モード時に実行される処理内容を示すもので、その動作制御はすべて演算部２０に予め記憶されている動作プログラムに基づいて実行される。
【００３１】
図４に示すように、撮像装置１０は、撮影モードが起動されると、表示部１５にてライブビュー表示を行う（ステップＳ４０１）。ここで、ライブビューとは、取得画像を即時、表示部１５に表示するプレビュー状態のことをいう。このとき、本実施の形態では、まず、画像処理制御部２３が画像取得処理部２１を制御して、カメラ部１１の撮像素子全体の画像範囲Ａに該当する画像データを取り込み、取り込んだ撮像素子全体の画像範囲Ａのうち、保持しているライブビュー範囲Ｂに該当する部分を切り出す。画像処理制御部２３は、切り出したライブビュー範囲Ｂに該当する画像を、表示部１５の画面に内接して表示可能なサイズに拡大縮小し、画像表示処理部２４を制御して表示部１５に表示する。
【００３２】
このように、取り込んだ撮像素子全体の画像範囲Ａから、保持するライブビュー範囲Ｂ情報に基づいてデジタルズームを行い、ライブビュー画像とする。なお、フローチャート開始時におけるライブビュー範囲Ｂの初期値は、撮像素子全体の画像範囲Ａよりも一回り小さい形状とする。
【００３３】
次に、ユーザからのキー入力を受け付ける（ステップＳ４０２）。このキー入力により、その後の処理が分岐される。なお、このステップＳ４０２においてキーの入力が無い場合には、ステップＳ４０１に戻り、ライブビュー表示を続ける。
【００３４】
ステップＳ４０２においてユーザからのキー入力が「撮影」であった場合には、撮影動作に移行する。この撮影動作では、まず、画像処理制御部２３が画像取得処理部２１を制御してカメラ部１１の撮像素子全体の画像範囲Ａに該当する画像データを取得させることによって、画像を取得する（ステップＳ４０３）。
【００３５】
次に、確認画像の表示を行う（ステップＳ４０４）。このステップでは、画像処理制御部２３が、ステップＳ４０３で取得した画像のうち、ライブビュー範囲Ｂの部分を切り出して、表示部１５の画面に内接して表示可能なサイズに拡大縮小し、画像表示処理部２４を制御して表示部１５に表示させる。
【００３６】
次に、取得した画像の保存を行う（ステップＳ４０５）。このとき、画像処理制御部２３は、撮像素子全体の画像範囲Ａに該当する画像データに、ライブビュー範囲Ｂの座標情報を付与し、データ保存処理部２２を制御して記憶部１７に保存させる。その後、ステップＳ４０１に戻り、ライブビュー表示を行う。
【００３７】
一方、ステップＳ４０２においてユーザからのキー入力が「ズームイン」であった場合には、ズームイン処理を行う（ステップＳ４０６）。具体的には、画像処理制御部２３は、保持しているライブビュー範囲Ｂの座標を一回り小さい範囲のものに変更する。ただし、ライブビュー範囲Ｂが一定サイズよりも小さくならないよう制限する。その後、ステップＳ４０１に戻り、変更したライブビュー範囲Ｂにてライブビュー表示を行う。
【００３８】
また、ステップＳ４０２においてユーザからのキー入力が「ズームアウト」であった場合には、ズームアウト処理を行う（ステップＳ４０７）。具体的には、画像処理制御部２３は、保持しているライブビュー範囲Ｂの座標を一回り大きい範囲のものに変更する。ただし、ライブビュー範囲Ｂが一定サイズよりも大きくならないよう制限する。その後、ステップＳ４０１に戻り、変更したライブビュー範囲Ｂにてライブビュー表示を行う。
【００３９】
なお、ステップＳ４０２においてユーザからのキー入力が「終了」であった場合には、ライブビュー表示自体を終了し、撮影モードを終了する。
【００４０】
このように、本実施の形態では、従来のデジタルカメラと異なり、撮影を実行すると、ライブビュー範囲Ｂではなく撮像素子全体の画像範囲Ａを撮影画像として保存し、保存した画像にライブビュー範囲Ｂの座標情報を付与する。詳細については後述するが、このようにして撮影された撮影画像では、撮影時にフレーミングした範囲の画像よりも外側の画像を撮影後に閲覧することが可能となる。
【００４１】
続いて、上記のように撮影された撮影画像の閲覧時における動作について、図５を用いて説明を行う。図５は、実施の形態１に係る撮像装置の撮影画像閲覧時の動作を示すフローチャートである。図５に示すフローチャートは、再生モード時に実行される処理内容を示すもので、その動作制御はすべて演算部２０に予め記憶されている動作プログラムに基づいて実行される。
【００４２】
図５に示すように、撮像装置１０は、再生モード起動されると、画像処理制御部２３がデータ保存処理部２２を制御して、記憶部１７から保存画像の一覧を取得する。そして、画像処理制御部２３は、画像表示処理部２４を制御して、取得した画像の一覧を表示部１５に表示させることによって、ユーザに画像の選択を求め、ユーザのキー操作部１３による画像の選択を受け付ける。
【００４３】
ユーザが画像を選択する（ステップＳ５０１）と、画像処理制御部２３は、選択された画像の画像データを、データ保存処理部２２を制御して記憶部１７から取得する。また、画像処理制御部２３は、この画像データに付与されているライブビュー範囲Ｂの座標情報の情報を読み取り、保持する。
【００４４】
次に、選択された画像の表示を行う（ステップＳ５０２）。このとき、本実施の形態では、画像処理制御部２３が、前ステップＳ５０１で取得した画像データから、この画像に付与されたライブビュー範囲Ｂに該当する部分を切り出して、表示部１５の画面に内接して表示可能なサイズに拡大縮小し、画像表示処理部２４を制御して表示部１５に表示させる。
【００４５】
次に、ユーザからのキー入力を受け付ける（ステップＳ５０３）。このキー入力により、その後の処理が分岐される。このステップＳ５０３においてキー入力が「戻る」であった場合には、ステップＳ５０１の画像選択に戻る。
【００４６】
ステップＳ５０３においてユーザからのキー入力が「ズームイン」であった場合には、ズームイン処理を行う（ステップＳ５０４）。具体的には、画像処理制御部２３は、保持しているライブビュー範囲Ｂの座標を一回り小さい範囲のものに変更する。ただし、ライブビュー範囲Ｂが一定サイズよりも小さくならないよう制限する。その後、ステップＳ５０２に戻り、変更したライブビュー範囲Ｂにて画像表示を行う。
【００４７】
ステップＳ５０３においてユーザからのキー入力が「ズームアウト」であった場合には、ズームアウト処理を行う（ステップＳ５０５）。具体的には、画像処理制御部２３は、保持しているライブビュー範囲Ｂの座標を一回り大きい範囲のものに変更する。ただし、ライブビュー範囲Ｂが一定サイズよりも大きくならないよう、また、画像全体の画像範囲（撮像素子全体の画像範囲Ａ）からはみ出ないよう制限する。その後、ステップＳ５０２に戻り、変更したライブビュー範囲Ｂにて画像表示を行う。
【００４８】
一方、ステップＳ５０３においてユーザからのキー入力が「上」「下」「左」「右」であった場合には、フレーム移動処理を行う（ステップＳ５０６）。具体的には、画像処理制御部２３は、保持しているライブビュー範囲Ｂの座標を、キーの方向に従って上下左右に平行移動する。ただし、ライブビュー範囲Ｂが画像全体の画像範囲（撮像素子全体の画像範囲Ａ）からはみ出ないよう制限する。
【００４９】
ステップＳ５０３においてユーザからのキー入力が「回転」（右回転、左回転の２キー）であった場合には、フレーム回転処理を行う（ステップＳ５０７）。具体的には、画像処理制御部２３は、保持しているライブビュー範囲Ｂを、キーの方向に従って左右に回転する。ただし、ライブビュー範囲Ｂが画像全体の画像範囲（撮像素子全体の画像範囲Ａ）からはみ出ないよう制限する。
【００５０】
また、ステップＳ５０３においてユーザからのキー入力が「修正」であった場合には、フレーム保存処理を行う（ステップＳ５０８）。具体的には、画像処理制御部２３は、そのとき保持しているライブビュー範囲Ｂを画像データに付与し、データ保存処理部２２を制御して記憶部１７に保存させる。すなわち、画像データはそのままで、ライブビュー範囲Ｂの情報のみ修正し、データを上書き保存する。
【００５１】
なお、ステップＳ５０３においてユーザからのキー入力が「終了」であった場合には、選択された画像の表示自体を終了し、再生モードを終了する。
【００５２】
このように、本実施の形態では、画像閲覧を開始した直後には、撮影画像データのうち、ライブビュー範囲Ｂに該当する部分の画像を、表示部１５の画面サイズに合うように拡大または縮小して表示する。すなわち、ユーザが撮影時に意図したフレームで再生する。そこでユーザがズームインの操作をした場合は、従来のデジタルカメラと同様に画像を拡大するが、ズームアウト操作をした場合も、撮像素子全体の画像範囲Ａまでの範囲であれば、閲覧画角の変更が可能である。すなわち、本実施の形態によれば、撮影後の画像データ閲覧時に、撮影時にファインダーで確認した画角よりも広角方向へのズームアウトの操作が可能となる。また、ユーザが、回転、平行移動などのフレーム移動の操作をした場合にも、撮像素子全体の画像範囲Ａまでの範囲であれば、閲覧位置の変更が可能である。従って、撮影時にフレーミングした範囲の画像よりも外側の画像を、撮影後に閲覧できる。
【００５３】
さらに、ライブビュー範囲Ｂの情報を閲覧時に修正可能としたため、撮影後であっても、ユーザが撮影時にフレーミングした画角の拡大、縮小、回転、平行移動などの修正が可能である。すなわち、撮影後にフレーミングを修正することができる。これは、写真撮影に慣れていないユーザが、撮影時のフレーミングの失敗を撮影後にゆっくり修正できるというメリット等がある。
【００５４】
なお、近年のデジタルカメラは高画素化が進んでおり、撮影後にフレーミングの修正でズームイン／アウトの修正を行っても、画質を十分保つことが可能である。
【００５５】
このように、本実施の形態にかかる撮像装置１０の制御方法は、撮像素子で受光した撮像素子全体の画像範囲Ａのうち、ライブビュー範囲Ｂの部分をデジタルズームして表示し、撮像素子全体の画像範囲Ａに該当する画像データを撮影画像として取得し、取得した撮影画像にライブビュー範囲Ｂの情報を付与して保存するものである。
【００５６】
また、本実施の形態にかかるプログラムは、デジタルズーム機能を備える撮像装置１０に、撮像素子で受光された撮像素子全体の画像範囲Ａのうち、ライブビュー範囲Ｂの部分をデジタルズームして表示させる処理と、撮像素子全体の画像範囲Ａに該当する画像データを撮影画像として取得させる処理と、取得された撮影画像にライブビュー範囲Ｂの情報を付与して保存させる処理と、を実行させるものである。
【００５７】
以上のように、本実施の形態では、撮影を実行すると、ライブビュー範囲Ｂではなく撮像素子全体の画像範囲Ａを撮影画像として保存し、この画像にライブビュー範囲Ｂの座標情報を付与する。これにより、撮影時にフレーミングした範囲の画像よりも外側の画像を撮影後に閲覧することが可能となる。また、付与されたライブビュー範囲Ｂの情報を拡大方向又は外側方向に修正することによって、撮影時にフレーミングした範囲の画像よりも外側の画像を含むフレーミングに修正することができる。
【００５８】
なお、撮像素子全体の画像範囲Ａと、ライブビュー範囲Ｂは、ともに矩形であるとしたが、矩形以外の形状であってもよい。また、撮像素子全体の画像範囲Ａと、ライブビュー範囲Ｂとは、互いに異なる形状であってもよい。
【００５９】
実施の形態２．
実施の形態１では、カメラ部１１が広角レンズを搭載した短焦点カメラである場合を想定して説明を行ったが、本実施の形態では、カメラ部１１が広角レンズに代えて光学レンズを搭載している場合について説明する。すなわち、デジタルズーム機能に加え、光学ズーム機能をさらに備えた撮像装置１０に本発明を適用する場合について説明する。それ以外の構成については、実施の形態１と同様であるため、説明を省略する。
【００６０】
本実施の形態の撮像装置１０の動作は、図４に示すステップＳ４０６とステップＳ４０７における動作が実施の形態１と異なっているのみであり、それ以外の動作については実施の形態１と同様である。
【００６１】
本実施の形態では、ステップＳ４０６のズームイン処理において、光学ズームが可能な場合は、画像処理制御部２３は、撮像素子全体の画像範囲Ａに対するライブビュー範囲Ｂの位置を固定したまま、光学ズームによりズーム処理を行う。すなわち、まず、光学ズームにより、撮像素子全体の画像範囲Ａの画角自体を小さくする。そして、光学ズームが最大値となりそれ以上の光学ズームが出来なくなった場合は、実施の形態１と同様のデジタルズームに切り替える。
【００６２】
一方、ステップＳ４０７のズームアウト処理において、デジタルズームされている状態では、画像処理制御部２３は、実施の形態１と同様のズームアウト処理を行う。ライブビュー範囲が一定の最大サイズ（撮像素子全体の画像範囲Ａより一回り小さい所定のサイズ）となった場合は、撮像素子全体の画像範囲Ａに対するライブビュー範囲Ｂの位置を固定したまま、光学ズームによりズームアウト処理を行う。すなわち、光学ズームにより、撮像素子全体の画像範囲Ａの画角自体を大きくする。
【００６３】
これにより、デジタルズーム機能と光学ズーム機能とを備えた撮像装置１０において、実施の形態１と同様、撮影時にフレーミングした範囲の画像よりも外側の画像を撮影後に閲覧することが可能となる。
【００６４】
その他の実施の形態．
なお、本発明は上記実施の形態に限られたものではなく、趣旨を逸脱しない範囲で適宜変更することが可能である。例えば、上記実施の形態では、本発明にかかる撮像装置１０が、携帯電話機１に搭載されたデジタルカメラの場合について例示的に説明をしたが、スマートフォン、ＰＤＡ（Personal Digital Assistance）など他の電子機器に搭載されているものであってもよく、デジタルカメラ自体であってもよい。
【００６５】
また、表示部１５は、タッチパネル式の表示デバイスであってもよい。表示部１５をタッチパネル式とすることで、撮影操作、及び撮影画像の閲覧操作が、キー操作部１３を用いたキー入力よりも直感的な操作となる。よって、ユーザに対して、操作がわかりやすいという効果がある。
【００６６】
さらに、実施の形態１では、撮像装置１０で撮影された撮影画像の閲覧は、撮像装置１０を操作して行う場合のみ説明したが、ＰＣ（Personal Computer）などの別の電子機器を操作して行うことができる。すなわち、撮像装置１０と、この撮像装置１０で保存された画像データのうち、ライブビュー範囲Ｂの情報に該当する部分をデジタルズームして表示する別の電子機器と、を備える撮像システムが構築されていてもよい。このように、他の電子機器で閲覧する際にも、図５のフローチャートに示した動作と同様の画像閲覧機能を持つ閲覧ソフトウェア等を用いることで、同じ閲覧方法をユーザに提供できるという効果がある。また、画像データに付与されたライブビュー範囲Ｂの情報は、この電子機器にて修正可能としてもよい。
【００６７】
また、撮像装置１０で撮影された撮影画像を、家庭や店頭にて印刷する際、印刷用機器が、画像データに付与されたライブビュー範囲Ｂの情報を読み取り、ライブビュー範囲Ｂに該当する部分のみを印刷するようにしてもよい。すなわち、撮像装置１０と、この撮像装置１０で保存された画像データのうち、ライブビュー範囲Ｂの情報に該当する部分をデジタルズームして印刷する印刷機器と、をそなえる撮像システムが構築されていてもよい。これにより、閲覧時に、ライブビュー範囲Ｂの情報を修正してフレーミングの修正を行った場合には、そのフレーミング修正結果のイメージどおりに印刷できるという効果がある。なお、フレーミングの修正を行っていない場合には、撮影時に意図したフレーミングのイメージどおりに印刷が可能である。
【００６８】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００６９】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７０】
以上、実施の形態を参照して本願発明を説明したが、本願発明は上記によって限定されるものではない。本願発明の構成や詳細には、発明のスコープ内で当業者が理解し得る様々な変更をすることができる。
【００７１】
この出願は、２００９年１０月１日に出願された日本出願特願２００９−２２９７７９を基礎とする優先権を主張し、その開示の全てをここに取り込む。
【符号の説明】
【００７２】
１  携帯電話機
１０  撮像装置
１１  カメラ部
１２  カメラ制御部
１３  キー操作部
１４  キー入力制御部
１５  表示部
１６  表示制御部
１７  記憶部
２０  演算部
２１  画像取得処理部
２２  データ保存処理部
２３  画像処理制御部
２４  画像表示処理部
Ａ  撮像素子全体の画像範囲
Ｂ  ライブビュー範囲
【図１】
2011039947.tif 000003
【図２】
2011039947.tif 000004
【図３】
2011039947.tif 000005
【図４】
2011039947.tif 000006
【図５】
2011039947.tif 000007
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
デジタルズーム機能を備える撮像装置であって、
所定の範囲の画像データを取得させる画像取得手段と、
前記所定の範囲より小さいライブビュー範囲の情報を保持する画像処理制御手段と、
取得した前記画像データのうち、前記ライブビュー範囲に該当する部分をデジタルズームして表示させる画像表示手段と、
前記画像処理制御手段に入力される撮影指令に応じて、前記画像取得手段が取得した前記画像データに、前記画像処理制御手段が保持する前記ライブビュー範囲の情報を付与して保存させるデータ保存手段と、を備える撮像装置。
【請求項２】
前記所定の範囲は、撮像素子で受光した撮像素子全体の画像範囲である請求項１に記載の撮像装置。
【請求項３】
前記画像処理制御手段が保持する前記ライブビュー範囲の情報は、変更可能であることを特徴とする請求項１又は２に記載の撮像装置。
【請求項４】
前記データ保存手段は、保存させた前記画像データを、付与した前記ライブビュー範囲の情報とともに読み出し、
前記画像表示手段は、読み出した前記画像データのうち、読み出した前記ライブビュー範囲に該当する部分をデジタルズームして表示させる請求項１乃至３のいずれか１項に記載の撮像装置。
【請求項５】
前記画像データに付与された前記ライブビュー範囲の情報は、修正可能であることを特徴とする請求項４に記載の撮像装置。
【請求項６】
前記ライブビュー範囲は、拡大方向及び外側方向に修正可能である請求項５に記載の撮像装置。
【請求項７】
請求項１乃至３のいずれか１項に記載の撮像装置と、
前記撮像装置を用いて保存された前記画像データのうち、前記画像データに付与された前記ライブビュー範囲の情報に該当する部分をデジタルズームして表示する別の電子機器と、を備える撮像システム。
【請求項８】
前記画像データに付与された前記ライブビュー範囲の情報は、前記別の電子機器にて修正可能である請求項７に記載の撮像システム。
【請求項９】
請求項１乃至６のいずれか１項に記載の撮像装置と、
前記撮像装置を用いて保存された前記画像データのうち、前記画像データに付与された前記ライブビュー範囲の情報に該当する部分をデジタルズームして印刷する印刷機器と、を備える撮像システム。
【請求項１０】
デジタルズーム機能を備える撮像装置の制御方法であって、
撮像素子で受光した撮像素子全体の画像範囲のうち、前記撮像素子全体の画像範囲より小さいライブビュー範囲の部分をデジタルズームして表示し、
前記撮像素子全体の画像範囲に該当する画像データを撮影画像として取得し、
取得した前記撮影画像に前記ライブビュー範囲の情報を付与して保存する、撮像装置の制御方法。
【請求項１１】
前記撮影画像を取得する前に、前記ライブビュー範囲が変更可能であることを特徴とする請求項１０に記載の撮像装置の制御方法。
【請求項１２】
保存した前記撮影画像を、付与された前記ライブビュー範囲の情報とともに読み出し、
読み出した前記撮影画像のうち、読み出した前記ライブビュー範囲に該当する部分をデジタルズームして表示する請求項１０又は１１に記載の撮像装置の制御方法。
【請求項１３】
前記画像データに付与された前記ライブビュー範囲の情報は、修正可能であることを特徴とする請求項１２に記載の撮像装置の制御方法。
【請求項１４】
撮像素子で受光された撮像素子全体の画像範囲のうち、前記撮像素子全体の画像範囲より小さいライブビュー範囲の部分をデジタルズームして表示させる処理と、
前記撮像素子全体の画像範囲に該当する画像データを撮影画像として取得させる処理と、
取得された前記撮影画像に前記ライブビュー範囲の情報を付与して保存させる処理と、をコンピュータに実行させるためのプログラム。
【国際調査報告】
2011039947.tif 000008
2011039947.tif 000009